(57)【要約】      （修正有）【課題】タイプが異なるプラグを安定して差し込むことができ、使い易く、所望のタイプの差込口を容易に交換できる回転式マルチコンセントを提供する。【解決手段】コンセント本体、コンセント部材及び回転盤を含み、コンセント本体１は穿孔１２１〜１２３が設けられるパネル１２を備える。コンセント部材２はコンセント本体に設け、内部に複数の導体片セット２５が設けられる。コンセント部材に複数の万能型のジャック２１〜２３が設けられる。ジャックは複数の導体片セットと対応するように形成される。導体片セットはコンセント部材の後側から突き出している差し込み足２７と電気的に接続される。回転盤３は回動可能にコンセント本体とコンセント部材の間に設けられ、回転盤に複数セットのタイプの異なる差込口３３が配置される。差込口が選択的に複数の穿孔と複数のジャックと対応する。【選択図】図１
0003215706.tif 000002
【実用新案登録請求の範囲】
【請求項１】
穿孔が設けられるパネルを備えるコンセント本体と、
後側から突出する差し込み足と電気的に接続される複数の導体片セットが内部に設けられ、前記複数の導体片セットと対応する万能型の複数のジャックが設けられると共に、前記コンセント本体に配置されるコンセント部材と、
回動可能に前記コンセント本体と前記コンセント部材の間に設けられ、選択的に前記穿孔及び前記複数のジャックと対応するように異なるタイプに形成される複数セットの差込口が設けられる回転盤と
を備えることを特徴とする回転式マルチコンセント。
【請求項２】
伝達歯車が設けられる一端が前記パネルの内部に伸びるように構成されるつまみが、前記パネルの前側から突出するように前記パネルに軸支され、
前記回転盤の外縁に前記伝達歯車と噛み合うダイヤル部が設けられる、ことを特徴とする請求項１の回転式マルチコンセント。
【請求項３】
前記パネルにスリット孔が設けられ、
前記回転盤の前側に、円環状を呈し前記スリット孔を通じて前記パネルから露出するダイヤル部が設けられる、ことを特徴とする請求項１の回転式マルチコンセント。
【請求項４】
前記パネルの辺縁にスリット孔が設けられ、
前記回転盤の外縁に、前記スリット孔を通じて前記パネルから露出するダイヤル部が設けられる、ことを特徴とする請求項１の回転式マルチコンセント。
【請求項５】
穿孔が設けられるパネルを備えるコンセント本体と、
複数の導体片セットが内部に設けられ、前記複数の導体片セットと対応する万能型の複数のジャックが設けられると共に、前記コンセント本体に配置されるコンセント部材と、
回動可能に前記コンセント本体と前記コンセント部材の間に設けられ、選択的に前記穿孔及び前記複数のジャックと対応するように異なるタイプに形成される複数セットの差込口が設けられる回転盤と
を備えることを特徴とする回転式マルチコンセント。
【請求項６】
伝達歯車が設けられる一端が前記パネルの内部に伸びるように構成されるつまみが、前記パネルの前側から突出するように前記パネルに軸支され、
前記回転盤の外縁に前記伝達歯車と噛み合うダイヤル部が設けられる、
ことを特徴とする請求項５の回転式マルチコンセント。
【請求項７】
複数の導体片セットが内部に設けられ、前記複数の導体片セットと対応する万能型の複数のジャックが設けられるコンセント部材と、
回動可能に前記コンセント部材に設けられ、選択的に前記複数のジャックと対応するように異なるタイプに形成される複数セットの差込口が設けられる回転盤と
を備えることを特徴とする回転式マルチコンセント。
【請求項８】
少なくとも二つの導体片セットが設けられるコンセント部材と、
回動可能に前記コンセント部材に設けられ、選択的に前記少なくとも二つの導体片セットと対応するように異なるタイプに形成される少なくとも２セットの差込口が設けられる回転盤と
を備えることを特徴とする回転式マルチコンセント。
【請求項９】
穿孔が設けられるパネルを備えるコンセント本体と、
複数の導体片セットが内部に設けられ、前記複数の導体片セットと対応する万能型の複数のジャックが設けられると共に、前記コンセント本体に配置されるコンセント部材と、
回動可能に前記コンセント部材の前方に設けられ、選択的に前記穿孔及び前記複数のジャックと対応するように異なるタイプに形成される複数セットの差込口が設けられる回転盤と、
前記回転盤と連接されて、前記回転盤を回転駆動するように用いられるモータと
を備えることを特徴とする回転式マルチコンセント。
【請求項１０】
複数の導体片セットが内部に設けられ、前記複数の導体片セットと対応する万能型の複数のジャックが設けられるコンセント部材と、
回動可能に前記コンセント部材に設けられ、選択的に前記複数のジャックと対応するように異なるタイプに形成される複数セットの差込口が設けられる回転盤と、
前記回転盤と連接されて、前記回転盤を回転駆動するように用いられるモータと
を備えることを特徴とする回転式マルチコンセント。
【請求項１１】
複数の導体片セットが設けられるコンセント部材と、
回動可能に前記コンセント部材に設けられ、選択的に前記複数の導体片セットと対応するように異なるタイプに形成される複数セットの差込口が設けられる回転盤と、
前記回転盤と連接されて、前記回転盤を回転駆動するように用いられるモータと
を備えることを特徴とする回転式マルチコンセント。
【請求項１２】
穿孔が設けられるパネルを備えるコンセント本体と、
複数の導体片セットが内部に設けられ、前記複数の導体片セットと対応する万能型の複数のジャックが設けられるコンセント部材と、
回動可能に前記コンセント部材の前方に設けられ、選択的に前記穿孔及び前記複数のジャックと対応するように異なるタイプに形成される複数セットの差込口が設けられる回転盤と、
回路部材と電気的に接続されると共に前記回転盤と連接されて、前記回転盤を回転駆動するように用いられるモータと、
前記回路部材と電気的に接続され、音声を受けて、音声制御により前記モータを駆動して前記回転盤を回転させる音声受信部材と
を備えることを特徴とする回転式マルチコンセント。
【請求項１３】
複数の導体片セットが内部に設けられ、前記複数の導体片セットと対応する万能型の複数のジャックが設けられるコンセント部材と、
回動可能に前記コンセント部材に設けられ、選択的に前記複数のジャックと対応するように異なるタイプに形成される複数セットの差込口が設けられる回転盤と、
回路部材と電気的に接続されると共に前記回転盤と連接されて、前記回転盤を回転駆動するように用いられるモータと、
前記回路部材と電気的に接続され、音声を受けて、音声制御により前記モータを駆動して前記回転盤を回転させる音声受信部材と
を備えることを特徴とする回転式マルチコンセント。
【請求項１４】
複数の導体片セットが設けられるコンセント部材と、
回動可能に前記コンセント部材に設けられ、選択的に前記複数の導体片セットと対応するように異なるタイプに形成される複数セットの差込口が設けられる回転盤と、
回路部材と電気的に接続されると共に前記回転盤と連接されて、前記回転盤を回転駆動するように用いられるモータと、
前記回路部材と電気的に接続され、音声を受けて、音声制御により前記モータを駆動して前記回転盤を回転させる音声受信部材と
を備えることを特徴とする回転式マルチコンセント。
【考案の詳細な説明】
【技術分野】
【０００１】
本考案は回転式マルチコンセントに関する。
【背景技術】
【０００２】
従来より、各国で様々なタイプのコンセント及びプラグが使用されており、その種類が多いため、旅行や出張で海外に行った者は、しばしば困ることがある。それは、持参した電気用品（例えば、充電器、ラップトップ又は電気かみそりなど）のプラグのタイプが違っていることにより、使用できなくなるためである。
【考案の概要】
【考案が解決しようとする課題】
【０００３】
本考案が解決しようとする技術的な課題は、タイプが異なるプラグが差し込むことができ、使い易く、所望のタイプの差込口を容易に交換でき、プラグを安定して差し込むことができる回転式マルチコンセントを提供することにある。
【課題を解決するための手段】
【０００４】
上記課題を解決するために、本考案はコンセント本体、コンセント部材及び回転盤を備える回転式マルチコンセントを提供する。前記コンセント本体は穿孔が設けられるパネルを備えている。前記コンセント部材は、前記コンセント本体に設けられており、その内部に複数の導体片セットが配置されている。前記コンセント部材に複数のジャックが設けられており、前記複数のジャックが万能型のジャックである。前記複数のジャックは前記複数の導体片セットと対応するようになっている。また、前記複数の導体片セットは差し込み足と電気的に接続される。前記差し込み足は前記コンセント部材の後側から露出している。前記回転盤は回動可能に前記コンセント本体と前記コンセント部材の間に設けられ、前記回転盤に複数セットの差込口が配置されている。前記複数の差込口は異なるタイプであり、選択的に前記複数の穿孔と前記複数のジャックと対応するようになっている。
【考案の効果】
【０００５】
本考案における回転盤には、タイプが異なる差込口が複数セット設けられているので、機能がより完全になるように、様々なタイプの異なるプラグが差し込むことが可能となる。また、プラグのプラグピンは回転盤における対応する差込口と合わせて位置づけられることが出来る。それにより、プラグを優れた電気接続を達するように安定的にコンセント部材に差し込むことができる。
【図面の簡単な説明】
【０００６】
【図１】本考案のマルチコンセントの実施形態１にかかる立体分解図である。
【図２】本考案のマルチコンセントの実施形態１にかかる立体組立図である。
【図３】本考案のマルチコンセントの実施形態２にかかる立体組立図である。
【図４】本考案のマルチコンセントの実施形態３にかかる立体組立図である。
【図５】本考案のマルチコンセントの実施形態４にかかる立体組立図である。
【図６】本考案のマルチコンセントの実施形態５にかかる立体分解図である。
【図７】本考案のマルチコンセントの実施形態６にかかる立体分解図である。
【図８】本考案のマルチコンセントの実施形態７にかかる立体組立図である。
【図９】本考案のマルチコンセントの実施形態８にかかる立体分解図である。
【図１０】本考案のマルチコンセントの実施形態９にかかる立体分解図である。
【図１１】本考案のマルチコンセントの実施形態１０にかかる立体分解図である。
【図１２】本考案のマルチコンセントの実施形態１１にかかる立体組立図である。
【図１３】本考案のマルチコンセントの実施形態１２にかかる立体組立図である。
【図１４】本考案のマルチコンセントの実施形態１３にかかる立体組立図である。
【図１５】本考案のマルチコンセントの実施形態１４にかかる立体分解図である。
【図１６】本考案のマルチコンセントの実施形態１５にかかる立体分解図である。
【図１７】本考案のマルチコンセントの実施形態１６にかかる立体分解図である。
【図１８】本考案のマルチコンセントの実施形態１７にかかる立体分解図である。
【図１９】本考案のマルチコンセントの実施形態１８にかかる立体図である。
【図２０】本考案のマルチコンセントの実施形態１９にかかる立体分解図である。
【図２１】本考案のマルチコンセントの実施形態２０にかかる立体分解図である。
【図２２】本考案のマルチコンセントの実施形態２０にかかる立体組立図である。
【図２３】本考案のマルチコンセントの実施形態２１にかかる立体分解図である。
【図２４】本考案のマルチコンセントの実施形態２２にかかる立体組立図である。
【図２５】本考案のマルチコンセントの実施形態２３にかかる立体分解図である。
【図２６】本考案のマルチコンセントの実施形態２４にかかる立体組立図である。
【図２７】本考案のマルチコンセントの実施形態２５にかかる立体組立図である。
【図２８】本考案のマルチコンセントの実施形態２６にかかる立体分解図である。
【０００７】
以下本考案に関する詳しい説明と添付図面を参照するが、提供される添付図面は、参考と説明を提供するためのものに過ぎず、本考案を制限するためのものではない。
【０００８】
［実施形態１］
図１及び図２を参照する。本考案は回転式マルチコンセントを提供する。マルチコンセントはアダプターコンセント、壁コンセント、またはタップコンセントであってもよいが、本実施形態には、コンセント本体１、コンセント部材２及び回転盤３を含むアダプターコンセントが開示されている。
【０００９】
コンセント本体１はプラスチックなどの絶縁材料で構成される。コンセント本体１にはパネル１２が含まれている。パネル１２の形状は方形または他の形状であってもよいが、ここでは制限されてない。パネル１２には複数の穿孔１２１、１２２及及び１２３が設けられている。前記複数の穿孔１２１、１２２及び１２３は万能型の穿孔であり、斜め、インライン、平形状又は円形状のプラグピンが通過することができる。  
【００１０】
コンセント本体１には少なくとも一つのコネクタ４が設けられてもよい。コネクタ４はコンセント部材２の内部に伸びている。コネクタ４としてはＵＳＢコネクタ、ＩＥＥＥ１３９４コネクタ、ＨＤＭＩコネクタ、ＡＶ端子またはＤＣ端子など様々な電子コネクタが挙げられている。コネクタ４はコンセント本体１（パネル１２）の前側から露出して、自身と対応するコネクタが差し込めるようになっている。
【００１１】
コンセント部材２はコンセント本体１に配置されている。コンセント部材２は上縁と下縁から突出するように設けられる係合部２４によりコンセント本体１のパネル１２に係着されることが出来る。それにより、コンセント部材２をコンセント本体１の後側に取り付けて、コンセント部材２の一側（前側）をパネル１２と対向するようにする。
【００１２】
コンセント部材２は万能型のコンセント（又はマルチコンセント）モジュールである。つまり、コンセント部材２の内部に適当に複数の導体片セット２５が設けられて、異なる複数のプラグピンと電気的に接続することができる。それらの導体片セット２５は差し込み足２７と電気的に接続されてもよい。前記差し込み足２７はコンセント部材２の後側から突き出して、必要な電力を導体片セット２５に導くようにコンセントに差し込むことができる。
【００１３】
コンセント部材２におけるパネル１２と対向する一側（前側）に複数のジャック２１、２２及び２３が設けられている。前記複数のジャック２１、２２及び２３はそれぞれ前記複数の穿孔１２１、１２２及び１２３と対応するように形成されている。前記複数のジャック２１、２２、２３は斜め、インライン、平形状又は円形状のプラグピンが挿設することができる。前記複数のジャック２１、２２及び２３は万能型のジャックであり、前記複数のジャック２１、２２及び２３はコンセント部材２の内部にある導体片セット２５と対応するように形成されており、導体片セット２５と電気的の接続を達するようにプラグのピンが挿設することができる。コンセント部材２がパネル１２と対向する一側（前側）に回転盤３を軸支するための枢軸２６が突出するように設けられてもよい。
【００１４】
回転盤３は円形または多辺形のプレートであってもよい。回転盤３は回転可能にコンセント本体１とコンセント部材２との間に設けられる。回転盤３は回転可能にコンセント部材２の一側（前側）に設けられる。回転盤３の中心にはピボット孔３１が設けられてもよい。回転盤３が回転可能にコンセント部材２軸支されるように、ピボット孔３１が枢軸２６と互いに枢着されてもよいが、その枢着については制限されない。
【００１５】
回転盤３はコンセント本体１（パネル１２）とコンセント部材２との間に位置づけられている。本実施形態において、パネル１２にはスリット孔１２４が設けられてもよい。スリット孔１２４は弧状を呈する。回転盤３にはダイヤル部３２が設けられてもよい。ダイヤル部３２は回転盤３の一側（前側）に設けられ、ダイヤル部３２が凹凸風合いの結構から構成されてもよい。また、ダイヤル部３２は円環状を呈する。スリット孔１２４とダイヤル部１３２が同軸心で配置されている。また、ダイヤル部３２がスリット孔１２４を通じてパネル１２から露出するように、ダイヤル部３２とパネル１２スリット孔１２４が対応するように形成されている。スリット孔１２４の幅はダイヤル部３２の幅よりも大きくされてもよいが、それが制限されない。使用者は指でダイヤル部３２を回すことにより回転盤３を回動するように推進する。使用者はコンセント本体１のパネル１２の前側から回転盤３を回動させ、操作がより便利でスムーズです。
【００１６】
回転盤３に複数の差込口３３が間隔を空けて設けられている。前記複数の差込口３３はタイプが異なっており、例えば１穴式、２穴式、３穴式、または穴が他の数量の多数穴式が挙げられている。また、その穴は扁平穴及び円形の穴などの形状であってもよいが、前記複数の差込口３３のタイプが制限されてなく、日本、イタリア、米国、オーストラリア、ヨーロッパなど様々なタイプが挙げられている。
【００１７】
使用者は回転盤３の回動を利用して、回転盤３における所望の１セットの差込口３３をコンセント部材２のジャック２１、２２及び２３と対応するようにすることができる。そのように、電気用品のプラグのプラグピンをコンセント本体１の穿孔１２１、１２２及び１２３から通じて、さらに対応する差込口３３及びコンセント部材２のジャック２１、２２及び２３に差し込むようにする。電気用品のプラグのプラグピンはコンセント部材２の導体片セット２５と電気的に接続されることにより、電力を電気用品に送ることができる。
【００１８】
異なるタイプの電気用品のプラグピンを差し込もうとする場合、使用者は再び回転盤３を回動して、回転盤３における前記プラグピンと同じタイプの他のセットの差込口３３をコンセント部材２のジャック２１、２２及び２３と対応するようにすることにより、電気用品のプラグピンをコンセント本体１の穿孔１２１、１２２及び１２３を通じて、さらに対応する差込口３３並びにコンセント部材２のジャック２１、２２及び２３に差し込むようにする。それで、電気用品のプラグのプラグピンはコンセント部材２の導体片セット２５と電気的に接続されることにより、電力を電気用品に送ることができる。
【００１９】
［実施形態２］
コンセント本体１のパネル１２の前側に、キャリア板５がフリップ自在に連接するようにパネル１２に軸支されている。キャリア板５は電子用品が置けるように下方にフリップすることができる。また、キャリア板５は前記パネル１２の前側と畳み重ねるように上方へフリップすることもできる。コンセント本体１にコネクタ４が可動的に設けられている。ケーブル４１の一端にコネクタ４が接続されて、ケーブル４１の他端にプラグ４２が接続されている。プラグ４２はコンピューターなど各種の電子装置と電気的に接続するようにコンセント本体１のパネル１２の内側に差し込んでいる。ケーブル４１及びコネクタ４が選択的にコンセント本体１の辺縁に収納することができる。
【００２０】
［実施形態３］
図４を参照する。本実施形態はさらに無線電力送信機６が含まれている。無線電力送信機６はコンセント本体１またはキャリア板５における適当の位置に配置されてもよい。無線電力送信機６は回路などによりコンセントの回路部材又はコンピューターなどの装置（図示なし）と電気的に接続される。無線電力受信機を備える電子製品（図示なし）がキャリア板５に置かれているとき、無線電力送信機６と無線電力受信機との間には無線通信プロトコルを介して、エネルギーの転送を行って、ワイヤレス電力伝送によりキャリア板５に置かれている電子製品に対して非接触充電を行う。コンセント本体１にはコネクタ４が可動的に設けられている。ケーブル４１の一端にコネクタ４が接続されて、ケーブル４１の他端がコンピューターなど各種の電子装置と電気的に接続するようにコンセント本体１のパネル１２の内側に伸びる。使用をより便利にするために、コネクタ４及びケーブル４１はコンセント本体１の外部まで引き出されることができる。
【００２１】
本実施形態におけるダイヤル部３２が回転盤３の外縁に設けられ、スリット孔１２４がパネル１２の辺縁に設けられている。ダイヤル部３２はスリット孔１２４を通じてパネル１２から露出する。それにより、使用者は指でダイヤル部３２を回すことにより、回転盤３を回動させることができる。
【００２２】
［実施形態４］
図５を参照する。本考案におけるコンセントのタイプ、外形及び構造には様々な変化をすることができる。コネクタ４はモジュール化された構成に形成されてもよい。コネクタ４は着脱可能にコンセント本体１に設けられる。
【００２３】
［実施形態５］
図６を参照する。本実施形態におけるコンセント本体１のパネル１２にはより大きい穿孔１２５が設けられる。穿孔１２５は長方形または他の形状であってもよい。上述穿孔１２１、１２２及び１２３の代わりに穿孔１２５を使用してもよい。穿孔１２５の面積は前記複数のジャック２１、２２及び２３にわたってカバーしてもよい。回転盤３における前記複数の差込口３３は選択的に穿孔１２５及び前記複数のジャック２１、２２、２３と対応するように形成されてもよい。
【００２４】
［実施形態６］
図７を参照する。本実施形態におけるコネクタ４は、モジュール化されるように形成され、着脱可能にコンセント本体１及びコンセント部材２に配置される。また、コンセント本体１のパネル１２に、つまみ１３が回動可能にパネル１２に軸支されている。また、つまみ１３がパネル１２の一側（前側）から突出する。つまみ１３の一端がパネル１２の内部に伸びる。つまみ１３の一端に回転盤３の外縁にあるダイヤル部３２と噛み合う伝達歯車１３１が設けられる。つまみ１３の回動を介して、伝達歯車１３１によりダイヤル部３２及び回転盤３を回動させることができる。使用者はコンセント本体１のパネル１２の前側から回転盤３を回動するように制御して、操作がより便利でスムーズとなる。
【００２５】
［実施形態７］
図８を参照する。本実施形態には収納ケース７が含まれている。収納ケース７の前側に開口７１が設けられる。収納ケース７がコンセント本体１の後側に設けられる。収納ケース７にはキャリア板５が位置される。キャリア板５が開口７に沿って前後にスライドすることができる。電子製品を置くために、キャリア板５は開口７に沿って収納ケース７の外部まで引き出すことができる。
【００２６】
［実施形態８、９］
図９及び図１０を参照する。本実施形態における回転式マルチコンセントは壁コンセントである。コンセント本体１には基部１１及びパネル１２が含まれている。パネル１２が基部１１の前側に設けられ、係着又は螺接の方式により基部１１に固定されてもよい。基部１１の中央部にコンセント部材２が取り付けられる収納槽１１１が形成される。基部１１は、両側に固定孔１１２が設けられ、ねじで螺接するように壁に固定することができる。コンセント部材２は上縁と下縁に突出するように設けた係合部２４により、コンセント本体１の基部１１に係着されている。それにより、コンセント部材２を基部１１の収納槽１１１に取り付けると共に、コンセント部材２の一側（前側）がパネル１２と対向するようにする。本実施形態では、上記各実施形態における差し込み足２７を省略する。必要な電力を導体片セット２５に送るために、導体片セット２５は差込又は溶接などの方式で電源コード（図示なし）と接続してもよい。
【００２７】
回転盤３はコンセント本体１の基部１１及びパネル１２の間にある。回転盤３をコンセント本体１とコンセント部材２との間に位置してもよい。ダイヤル部３２は回転盤３の一側（前側）に配置され、前記スリット孔１２４がパネル１２に配置されている。回転盤３の一部（ダイヤル部３２）がスリット孔１２４を通じてパネル１２から露出することにより、使用者が便利に指で前記ダイヤル部３２を回って、回転盤３を回動するように推進することができる。
【００２８】
［実施形態１０］    
図１１を参照する。本実施形態におけるコンセント部材２の形はアメリカタイプである。コンセント本体１にはパネル１２が設けられるが、上記の実施形態のような基部１１が設けられていない。回転盤３はコンセント本体１のパネル１２とコンセント部材２との間に位置されている。
【００２９】
［実施形態１１、１２、１３］
図１２を参照する。本実施形態はタップコンセントに関する。図１３を参照する。本実施形態はデスクトップまたは地面に設けるコンセントに関する。図１４を参照する。本実施形態はテーブルランプに設けるコンセントに関する。
【００３０】
［実施形態１４］
図１５を参照する。本実施形態におけるコンセント本体１のパネル１２にはより大きい穿孔１２５が設けられている。穿孔１２５は円形状を呈する。上記穿孔１２１、１２２及び１２３の代わり穿孔１２５を使用してもよい。穿孔１２５の面積は前記複数のジャック２１、２２及び２３にわたってカバーしてもよい。また、回転盤３は穿孔１２５に軸支されてもよい。回転盤３における前記複数の差込口３３は選択的に前記複数のジャック２１、２２、２３と対応するように形成されてもよい。
【００３１】
［実施形態１５］
図１６を参照する。本実施形態において、前記実施形態におけるコンセント本体１を省略する。コンセント部材２の内部に複数の導体片セット２５が設けられている。コンセント部材２に複数のジャック２１、２２及び２３が設けられている。前記複数のジャック２１、２２及び２３は万能型のジャックである。また、前記複数のジャック２１、２２及び２３は前記複数の導体片セット２５と対応するように形成されている。回転盤３は回動可能にコンセント部材２に設けられ、回転盤３に複数セットの差込口３３が設けられてそれらの差込口３３はタイプが異なっている。その複数の差込口３３は選択的に前記複数のジャック２１、２２及び２３と対応するように形成される。回転盤３は円形状の中空体に形成され、自由に回動するようにコンセント部材２の前端にある円柱状部にセットされている。回転盤３の内縁に第１の定位部３４（例えば定位凸リング）が環状に設けられ、かつコンセント部材２の外縁に第２の定位部２０（例えば定位凹リング）が環状に設けられており、第１の定位部３４及び第２の定位部２０が互いに合わせることにより、回転盤３をコンセント部材２に定位する。
【００３２】
［実施形態１６、１７］
図１７及び図１８を参照する。本実施形態におけるコンセント部材２には少なくとも二つの導体片セット２５が設けられている。回転盤３は回動自由に前記コンセント部材２に配置されている。回転盤３に少なくとも二つセットの差込口３３が設けられて、前記少なくとも二つセットの差込口３３はそれぞれ異なるタイプである。前記少なくとも二つセットの差込口３３は選択的に前記少なくとも二つセットの導体片セット２５と対応するように成形されている。
【００３３】
［実施形態１８］
図１９を参照する。本実施形態において、前記実施形態におけるコンセント本体１を省略する。コンセント部材２には少なくとも二つの導体片セット（図示なし）が設けられる。回転盤３は回動可能にコンセント部材２に設けられる。回転盤３に少なくとも二つセットの差込口３３が設けられ、前記少なくとも二つセットの差込口３３はそれぞれ異なるタイプである。前記少なくとも二つセットの差込口３３は選択的に前記少なくとも二つセットの導体片セットと対応するように形成される。本実施形態において、主に差し込み足２７を足載せ台２７１に固定する。足載せ台２７１は取り外せるようにコンセント部材２の後側に取り付けられて、かつ、差し込み足２７と導体片セット２５が電気的に接続される。それにより、複数の異なるタイプの差し込み足２７の足載せ台２７１を製造することができる。必要な電力を導体片セットに送るために、差し込み足２７はコンセント部材２の後側から突き出して、コンセントに差し込むことができる。
【００３４】
［実施形態１９］
図２０を参照する。本実施形態におけるコンセント本体１の穿孔１２１、１２２及び１２３、並びにコンセント部材２のジャック２１、２２及び２３、並びに導体片セット２５は、いずれも相対的に二つセットが設けられている。また、回転盤３における複数の差込口３３も相対的に設けられ、同時に二つプラグが差し込むことができる。
【００３５】
［実施形態２０］
図２１及び図２２を参照する。本実施形態は自動式の（電動式）マルチコンセントに関する。本実施形態におけるマルチコンセントは、さらにモータ８を含む。前記モータ８はコンセント本体１又はコンセント部材２に設けられてもよい。本実施形態において、モータ８はコンセント部材２（内部）に設けられる。モータ８は回路部材３０と電気的に接続されてもよい。かつ、回転盤３はモータ８に連接されて、電動（自動）の方式により回転盤３を回動するように駆動する。回転盤３がモータ８と連接するための構成は制限されてない。本実施形態において、モータ８は第１の歯車８１に連接される。つまり、モータ８の動力出力軸は第１の歯車８１と連接され、かつ、回転盤３に第２の歯車３５が設けられて（第２の歯車３５は回転盤３の外縁に設けられてもよい）、第２の歯車３５と第１の歯車８１と噛み合うことにより、回転盤３を第２の歯車３５及び第１の歯車８１を介してモータ８に連接させる。また、回転盤３はベルト又は他の従来の伝達機構によりモータ８に連接されて、回転盤３が電動的な方式で回動するように駆動されてもよい。さらに、マルチコンセントに制御スイッチ８２が設けられてもよい。制御スイッチ８２はコンセント本体１又は他の適当な位置に設けられてもよい。制御スイッチ８２はモータ８と電気的に接続され、モータ８が回転盤３の回動を駆動することを制御することができる。モータ８は回転盤３を所定の角度で回動するように駆動することができる。それにより、回転盤３における差込口３３を順番にコンセント部材２のジャック２１、２２及び２３と対応するようにすることができる。制御スイッチ８２はモータ８の電力を切断するためにも用いられている。それで、手動で回転盤３を回って回動させることができる。回転盤３はモータ８に連接されて、電動的な方式で駆動することができるため、使用に便利で、所望のタイプの差込口に容易に変換し得る。また、本考案において、スイッチが設けられてもよい。スイッチにより第１の歯車８１及び第２の歯車３５が離れるように制御して、本考案におけるマルチコンセントにおける電動駆動の機能をオフにして、手動で回転盤３を回って回動させるとうにすることができる。
【００３６】
［実施形態２１、２２、２３］
図２３ないし２５を参照する。それらの実施形態において、制御スイッチ８２によりモータ８を制御して回転盤３を回動することができる。モータ８は回転盤３を所定の角度で回動するように駆動することにより、回転盤３における差込口３３を順番にコンセント部材２のジャック２１、２２及び２３と対応するようにする。回転盤３はモータ８と連接され、電動的に駆動することができるため、容易に所望のタイプの差込口に変換して、より便利となる。
【００３７】
［実施形態２４］
図２６を参照する。本実施形態において、前記回転式マルチコンセントはリフトシート９に配置され、リフトシート９は昇降可能にデスクトップまたは他の装置に配置する。
【００３８】
［実施形態２５、２６］
図２７及び図２８を参照する。本考案のマルチコンセントにおいて、さらに音声受信部材１０が含まれてもよい。音声受信部材１０はマイクなどであってもよい。音声受信部材１０がコンセントの回路部材３０と電気的に接続されてもよい。音声受信部材１０は音声を受信するために用いられる。音声受信部材１０はコンセントの回路部材３０を介してモータ８と電気的に接続することにより、音声によりモータ８を駆動して回転盤３を回動させることができる。本考案の他の実施形態においては、ジェスチャによる制御によりモータ８を駆動して回転盤３を回動させることもできる。即ち、ジェスチャによる制御によりモータ８を駆動して回転盤３を回動させるために、コンセント本体１またはコンセント部材２に、使用者の手の動作を取得することができる画像取得装置などのセンサ（図示なし）を設けしてもよい。
【００３９】
本考案の回転盤に差込口が複数セット設けられて、その複数の差込口はタイプが異なっている。また、コンセント本体に万能型の穿孔が設けられ、前記コンセント部材に万能型のジャックが設けられているため、様々なタイプのプラグが差し込むことができる。そのように、コンセントの機能をより完全にすることができる。また、プラグのプラグピンを、回転盤における前記プラグピンと対応する差込口により定位することにより、プラグを、より優れた電気接続を達するように、安定的にコンセント部材に差し込むことができる。
【００４０】
本考案のコンセント部材に差し込み足が設けられてもよい。前記差し込み足は導体片セットと電気的に接続されて、必要な電力を導体片セットに導くように用いられている。そのため、本考案のマルチコンセントはアダプターの機能を持つアダプターコンセントに形成することができる。
【００４１】
また、本考案におけるコンセント本体のパネルにスリット孔が設けられて、前記回転盤の前側にダイヤル部が設けられて、使用者の指がスリット孔を通じて前記ダイヤル部を回って、回転盤を回動するように推進することができる。また、本考案のコンセント本体のパネルにつまみが軸支されている。前記つまみの一端に回転盤の外縁にあるダイヤル部と?み合う伝達歯車が設けられることにより、つまみを介して回転盤を回動するように推進することができる。このように、使用者はコンセント本体のパネルの前側から回転盤の回動を制御することができるので、操作が便利でスムーズとなる。また、コンセント本体の辺縁に回転盤が露出するためのスペースを予め設定することが不要であるので、回転式マルチコンセントの取り付け又は使用性をより便利にすることができる。
【００４２】
上述したのは本考案の好ましい実施可能な実施例に過ぎず、本考案の保護範囲を限定するためのものではなく、本考案の特許請求の範囲に基づき為された均等の変形と変更は、全て本考案の請求項の保護範囲に属するものとする。
【符号の説明】
【００４３】
１  コンセント本体
２  コンセント部材
３  回転盤
４  コネクタ
５  キャリア板
６  無線電力送信機
７  収納ケース
８  モータ
９  リフトシート
１０  音声受信部材
１１  基部
１２  パネル
１３  つまみ
２０  第２の定位部
２１、２２、２３  ジャック
２４  係合部
２５  導体片セット
２６  枢軸
２７  差し込み足
３０  回路部材
３１  ピボット孔
３２  ダイヤル部
３３  差込口
３４  第１の定位部
３５  第２の歯車
４１  ケーブル
４２  プラグ
７１  開口
８１  第１の歯車
８２  制御スイッチ
１１１  収納槽
１２１、１２２、１２３、１２５  穿孔
１２４  スリット孔
２７１  足載せ台
【図１】
0003215706.tif 000003
【図２】
0003215706.tif 000004
【図３】
0003215706.tif 000005
【図４】
0003215706.tif 000006
【図５】
0003215706.tif 000007
【図６】
0003215706.tif 000008
【図７】
0003215706.tif 000009
【図８】
0003215706.tif 000010
【図９】
0003215706.tif 000011
【図１０】
0003215706.tif 000012
【図１１】
0003215706.tif 000013
【図１２】
0003215706.tif 000014
【図１３】
0003215706.tif 000015
【図１４】
0003215706.tif 000016
【図１５】
0003215706.tif 000017
【図１６】
0003215706.tif 000018
【図１７】
0003215706.tif 000019
【図１８】
0003215706.tif 000020
【図１９】
0003215706.tif 000021
【図２０】
0003215706.tif 000022
【図２１】
0003215706.tif 000023
【図２２】
0003215706.tif 000024
【図２３】
0003215706.tif 000025
【図２４】
0003215706.tif 000026
【図２５】
0003215706.tif 000027
【図２６】
0003215706.tif 000028
【図２７】
0003215706.tif 000029
【図２８】
0003215706.tif 000030